(57)【特許請求の範囲】
【請求項１】
一つ以上の蓄電素子と、
該一つ以上の蓄電素子を包囲する金属製の周壁であって、周方向に交互に配置された平面部と角部とからなる周壁を有する外装体と、
前記平面部の内面を覆うように固定されて配置される第一の絶縁シートと、
前記角部の内面を覆うように固定されて配置される第二の絶縁シートとを備える
蓄電装置。
【請求項２】
前記第二の絶縁シートは、前記第一の絶縁シートよりも高弾性の素材で構成される
請求項１に記載の蓄電装置。
【請求項３】
前記蓄電素子を複数備え、
前記複数の蓄電素子のそれぞれは、
直方体状又は立方体状の電槽と、
該電槽の外面を構成する一面上に配置される外部端子とを備え、
前記複数の蓄電素子は、
隣り合う蓄電素子の電槽の外面を構成する平面状の外壁面同士を面対向させた状態で、一列又は複数列で行列状に配置され、
前記複数の蓄電素子は、前記第一の絶縁シートおよび前記第二の絶縁シートが前記周壁の内面に貼り付け固定されている前記外装体内に配置される
請求項１又は請求項２に記載の蓄電装置。
【請求項４】
前記第一の絶縁シートは、ポリプロピレン製の樹脂シートで構成され、
前記第二の絶縁シートは、ポリプロピレンを主原料とする合成紙で構成される
請求項１乃至請求項３の何れか１項に記載の蓄電装置。
【請求項５】
一つ以上の蓄電素子と、
該一つ以上の蓄電素子を包囲する金属製の周壁であって、周方向に交互に配置された平面部と角部とからなる周壁を有する外装体と、
前記周壁の内面を覆う絶縁シートとを備えた蓄電装置の製造方法であって、
前記平面部に対応する第一の絶縁シートで前記平面部の内面を覆うように、該第一の絶縁シートを前記周壁の内面上に固定して配置するステップと、
前記角部に対応する第二の絶縁シートで前記角部の内面を覆うように、該第二の絶縁シートを前記周壁の内面上に固定して配置するステップとを備える
蓄電装置の製造方法。
【請求項６】
前記第二の絶縁シートは、前記第一の絶縁シートよりも高弾性の素材で構成される
請求項５に記載の蓄電装置の製造方法。
【請求項７】
直方体状又は立方体状の電槽を有する複数の蓄電素子を、隣り合う蓄電素子の電槽の外面を構成する平面状の外壁面同士を面対向させるように、一列又は複数列で行列状に配置するステップをさらに備え、
前記第一の絶縁シートおよび前記第二の絶縁シートを前記周壁の内面上に固定して配置するステップにおいて、前記第一の絶縁シートおよび前記第二の絶縁シートを、前記周壁の内面に貼り付け固定して配置する
請求項５又は請求項６に記載の蓄電装置の製造方法。
【請求項８】
前記第一の絶縁シートは、ポリプロピレン製の樹脂シートで構成され、
前記第二の絶縁シートは、ポリプロピレンを主原料とする合成紙で構成される
請求項５乃至請求項７の何れか１項に記載の蓄電装置の製造方法。
【発明の詳細な説明】
【技術分野】
【０００１】
本発明は、電池セルやキャパシタ等の蓄電素子を備えた蓄電装置、及び蓄電装置の製造方法に関する。
【背景技術】
【０００２】
ハイブリッド電気自動車（ＨＥＶ）、電気自動車（ＥＶ）、電動バイク、航空機、船舶等の電動機器は、モータや、電灯、表示器等の各種の出力装置を備える。これに伴い、電動機器には、出力装置に電力を供給するための高出力の蓄電装置が搭載される。
【０００３】
蓄電装置は、一つ以上の蓄電素子と、該一つ以上の蓄電素子を収容する外装体とを備える。かかる蓄電装置において、外装体が電動機器内に固定された上で、一つ以上の蓄電素子が出力装置に対して電気的に接続される。これにより、蓄電装置は、電動機器の一構成とされ、蓄電素子の数に応じた電力を出力装置に供給する。
【０００４】
ところで、運搬の効率性や、電動機器における電力消費の抑制等の観点から、蓄電装置の軽量化が要求される。また、この種の蓄電装置は、電動機器の運転時に発生する振動等の外力を受けるため、これらの外力に対抗し得る耐久性（剛性）が要求される。これに伴い、この種の蓄電装置には、複数の蓄電素子を包囲する薄肉の周壁であって、金属製の周壁を有する外装体を備えたものが提供されている。
【０００５】
この種の蓄電装置は、導電性を有する金属製の周壁と蓄電素子とを絶縁すべく、絶縁樹脂が周壁の内面全面に塗布されることで、その塗膜によって周壁の内面上に絶縁層が形成されたり、長尺な一枚の絶縁シートが周壁の内面全面（全周に亘って）に貼り付けられることで、その絶縁シートによって周壁の内面上に絶縁層が形成されたりしている（例えば、特許文献１参照）。
【先行技術文献】
【特許文献】
【０００６】
【特許文献１】特開２０１０−２２５３３９号公報
【発明の概要】
【発明が解決しようとする課題】
【０００７】
しかしながら、絶縁樹脂の塗膜によって形成される絶縁層では、周壁と蓄電素子とを確実に絶縁できない場合がある。具体的に説明する。周壁の内面に絶縁樹脂を塗布する際の膜厚管理が難しく、絶縁樹脂の膜厚（絶縁層）が絶縁に必要な膜厚にならない場合がある。また、絶縁樹脂の塗膜（絶縁層）は、蓄電素子との擦れ等によって剥離することがあり、金属製の周壁（外装体）が内部の蓄電素子と部分的に直接対向することがある。従って、絶縁樹脂の塗膜では、周壁と蓄電素子とを確実に絶縁できない場合がある。
【０００８】
これに対し、絶縁シートは、一定又は略一定の厚みを有するため、周壁の内面に貼り付けられた状態で絶縁に必要な厚みの絶縁層を構成する。しかしながら、外装体（周壁）の形態との関係で、絶縁シートで周壁の内面全面が覆うことができずに、確実に絶縁できない場合がある。より具体的に説明する。この種の蓄電装置には、外装体全体が多面体状（例えば、立方体状や直方体状）に形成されたものがある。これに伴い、この種の外装体の周壁は、多角環状に形成され、周方向に平面部と角部とが交互に連続して形成される。そのため、周壁の内周面に長尺な一枚の絶縁シートが貼り付けられる場合、絶縁シートは、平面部においては平面状のまま貼り付けられ、角部において折り曲げられた状態で貼り付けられる。
【０００９】
このように角部に対応させて長尺な絶縁シートを折り曲げると、絶縁シートにシワが入ることがある。そして、絶縁シートにシワが入ると、シワになった部分がロスになるため、周壁の内周長に応じて切断された絶縁シートでは、周壁の全面を覆うことができなくなってしまう。また、絶縁シートにシワが入ると、そのシワを基点にして絶縁シートの姿勢が変更されることがあり、絶縁シートが周壁に沿って貼り付けられないことがある。
【００１０】
その結果、周壁（外装体）が内部の蓄電素子と部分的に直接対向した状態になり、周壁と蓄電素子とを確実に絶縁できなくなってしまう。特に、複数の蓄電素子を一括保持するために、絶縁シートを介して蓄電素子の外面が外装体の内面に近接して配置される場合には、金属製の周壁（外装体）が内部の蓄電素子と直接対向することは大きな問題となる。
【００１１】
そこで、本発明は、斯かる実情に鑑み、周方向に交互に配置された平面部と角部とを含む周壁を有する外装体と、周壁に包囲された複数の蓄電素子とを確実に絶縁でき、電気的な安全性を向上させることのできる蓄電装置、及び蓄電装置の製造方法を提供することを課題とする。
【課題を解決するための手段】
【００１２】
本発明に係る蓄電装置は、一つ以上の蓄電素子と、該一つ以上の蓄電素子を包囲する金属製の周壁であって、周方向に交互に配置された平面部と角部とからなる周壁を有する外装体と、前記平面部の内面を覆うように固定されて配置される第一の絶縁シートと、前記角部の内面を覆うように固定されて配置される第二の絶縁シートとを備える。
【００１３】
かかる構成の蓄電装置によれば、蓄電素子を収容する外装体の周壁が金属製であるため、電動機器の運転時に発生する振動等の外力に対抗し得る耐久性（剛性）を有する。そして、第一の絶縁シートが単一の平面部に被覆可能な態様で形成され、第二の絶縁シートが単一の角部を被覆可能な態様で形成される。すなわち、第一の絶縁シート及び第二の絶縁シートのそれぞれは、周壁の内面全域を分割した複数の領域に対応するサイズにされる結果、周壁の内面の総面積よりも小さなサイズにされる。従って、第一の絶縁シート及び第二の絶縁シートは、周壁の内周全周に対応した長尺な絶縁シートに比べ、ハンドリング性が向上したものになる。これにより、第一の絶縁シートは、平面部に対応して適正に配置され、第二の絶縁シートは、角部に対応して適正に配置される。そして、第一の絶縁シート及び第二の絶縁シートは、それぞれ独立しているため、第一の絶縁シートが第二の絶縁シートの態様に追従せず、また、第二の絶縁シートが第一の絶縁シートの態様に追従しない。従って、第一の絶縁シート及び第二の絶縁シートが周壁の内面上に配置されるときに、シワの発生や位置ずれが起こり難くなる。その結果、第一の絶縁シートが平面部全域を覆い、第二の絶縁シートが角部全域を覆う。
【００１４】
そして、周壁は、周方向に交互に配置された平面部と角部とを有するため、上述の如く、第一の絶縁シートが平面部全域を覆うとともに第二の絶縁シートが角部全域を覆うことで、第一の絶縁シートと第二の絶縁シートとが周壁の周方向に連続して配置される。その結果、周壁の内面全域が絶縁され、周壁と蓄電素子とを確実に絶縁できる。
【００１５】
本発明に係る蓄電装置の一態様として、前記第二の絶縁シートは、前記第一の絶縁シートよりも高弾性の素材で構成される、ようにすることができる。このようにすれば、第二の絶縁シートは、角部に対応して曲げられた状態で、自己の弾性によって均一又は略均一に湾曲する。従って、第二の絶縁シートが無造作に折れ曲がったり、第二の絶縁シートにシワが入ったりすることがない。従って、第二の絶縁シートは、角部の配置に対応した位置で適正に配置され、蓄電素子との干渉が効率的に防止される。
【００１６】
本発明の他態様として、前記蓄電素子を複数備え、前記複数の蓄電素子のそれぞれは、直方体状又は立方体状の電槽と、該電槽の外面を構成する一面上に配置される外部端子とを備え、前記複数の蓄電素子は、隣り合う蓄電素子の電槽の外面を構成する平面状の外壁面同士を面対向させた状態で、一列又は複数列で行列状に配置され、前記複数の蓄電素子は、前記第一の絶縁シートおよび前記第二の絶縁シートが前記周壁の内面に貼り付け固定されている前記外装体内に配置される、ようにすることができる。このようにすれば、周壁の内面上に配置された第一の絶縁シート及び第二の絶縁シートは、周壁の形態ではなく、一群をなす複数の蓄電素子の外周に即して配置される。従って、複数の蓄電素子の収まりがよく、絶縁を図りつつ複数の蓄電素子が一括保持される。
【００１７】
本発明の別の態様として、前記第一の絶縁シートは、ポリプロピレン製の樹脂シートで構成され、前記第二の絶縁シートは、ポリプロピレンを主原料とする合成紙で構成される、ようにすることができる。このようにすれば、第一の絶縁シートが平面部に沿った状態になり易く、平面部に対して適正に配置される。また、第二の絶縁シートが周壁の角部に応じて曲げた状態にされても、第二の絶縁シートが不用意に折れ曲がることがなく、角部の形態に対応して適正に曲げることができる。すなわち、ポリプロピレンを主原料とする合成紙は、弾性に富み、不用意に屈曲することがない。従って、角部に対応して配置される第二の絶縁シートがポリプロピレンを主原料とする合成紙で構成されることで、第二の絶縁シートにシワが入り難く、第二の絶縁シートが角部の配置に対応した位置で適正に配置される。
【００１８】
本発明に係る蓄電装置の製造方法は、一つ以上の蓄電素子と、該一つ以上の蓄電素子を包囲する金属製の周壁であって、周方向に交互に配置された平面部と角部とからなる周壁を有する外装体と、前記周壁の内面を覆う絶縁シートとを備えた蓄電装置の製造方法であって、前記平面部に対応する第一の絶縁シートで前記平面部の内面を覆うように、該第一の絶縁シートを前記周壁の内面上に固定して配置するステップと、前記角部に対応する第二の絶縁シートで前記角部の内面を覆うように、該第二の絶縁シートを前記周壁の内面上に固定して配置するステップとを備える。
【００１９】
上記方法によれば、第一の絶縁シートが単一の平面部に被覆可能な態様で形成され、第二の絶縁シートが単一の角部を被覆可能な態様で形成される。すなわち、第一の絶縁シート及び第二の絶縁シートのそれぞれは、周壁の内面全域を分割した複数の領域に対応するサイズにされる結果、周壁の内面の総面積よりも小さなサイズにされる。従って、第一の絶縁シート及び第二の絶縁シートは、周壁の内周全周に対応した長尺な絶縁シートに比べ、ハンドリング性が向上したものになる。これにより、第一の絶縁シートを周壁の内面上に配置するステップにおいて、第一の絶縁シートが平面部に対して適正に配置される（固定される）。また、第二の絶縁シートを前記周壁の内面上に配置するステップにおいて、第二の絶縁シートが角部に対して適正に配置される（固定される）。
【００２０】
そして、第一の絶縁シート及び第二の絶縁シートが周壁に対して個別に配置されることで、第一の絶縁シートが第二の絶縁シートの態様に追従せず、また、第二の絶縁シートが第一の絶縁シートの態様に追従しない。従って、第一の絶縁シート及び第二の絶縁シートのそれぞれが周壁の内面上に配置されるときに、シワの発生や位置ずれが起こり難くなる。その結果、第一の絶縁シートが平面部全域を覆い、第二の絶縁シートが角部全域を覆う。そして、周壁は、周方向に交互に配置された平面部と角部とを有するため、上述の如く、第一の絶縁シートが平面部全域を覆うとともに第二の絶縁シートが角部全域を覆うことで、第一の絶縁シートと第二の絶縁シートとが周壁の周方向に連続して配置され、周壁の内面全域が絶縁される。これにより、周壁と蓄電素子とを確実に絶縁できる。
【００２１】
本発明に係る蓄電装置の製造方法の一態様として、前記第二の絶縁シートは、前記第一の絶縁シートよりも高弾性の素材で構成される、ようにすることができる。このようにすれば、第二の絶縁シートを周壁の内面上に配置するステップにおいて、第二の絶縁シートが角部に対応して曲げられると、第二の絶縁シートの自己の弾性によって均一又は略均一に湾曲する。従って、第二の絶縁シートが無造作に折れ曲がったり、第二の絶縁シートにシワが入ったりすることがなく、第二の絶縁シートを適正に配置できる。
【００２２】
本発明に係る蓄電装置の製造方法の別の態様として、直方体状又は立方体状の電槽を有する複数の蓄電素子を、隣り合う蓄電素子の電槽の外面を構成する平面状の外壁面同士を面対向させるように、一列又は複数列で行列状に配置するステップをさらに備え、前記第一の絶縁シートおよび前記第二の絶縁シートを前記周壁の内面上に固定して配置するステップにおいて、前記第一の絶縁シートおよび前記第二の絶縁シートを、前記周壁の内面に貼り付け固定して配置する、ようにすることができる。このようにすれば、周壁の内面上に配置されることで連続する第一の絶縁シート及び第二の絶縁シートが行列状に配置されて一群をなす複数の蓄電素子の電槽を包囲した状態になる。従って、複数の蓄電素子は、外装体（周壁）内で適正な配置で保持される。
【００２３】
本発明に係る蓄電装置の製造方法の他態様として、前記第一の絶縁シートは、ポリプロピレン製の樹脂シートで構成され、前記第二の絶縁シートは、ポリプロピレンを主原料とする合成紙で構成される、ようにすることができる。このようにすれば、第一の絶縁シートを周壁の内面上に配置するステップにおいて、第一の絶縁シートが平面部に沿った状態になり易く、第一の絶縁シートを平面部に対して適正に配置することができる。また、第二の絶縁シートを周壁の内面上に配置するステップにおいて、第二の絶縁シートを角部に対応させて湾曲させても、第二の絶縁シートが不用意に折れ曲がることがない。すなわち、ポリプロピレンを主原料とする合成紙は、弾性に富み、不用意に屈曲することがない。従って、角部に対応して配置される第二の絶縁シートがポリプロピレンを主原料とする合成紙で構成されることで、第二の絶縁シートにシワが入り難く、第二の絶縁シートを角部の配置に対応した位置で適正に配置することができる。
【発明の効果】
【００２４】
以上のように、本発明によれば、周方向に交互に配置された平面部と角部とを含む周壁を有する外装体と、周壁に包囲された複数の蓄電素子とを確実に絶縁でき、電気的な安全性を向上させることができるという優れた効果を奏し得る。
【図面の簡単な説明】
【００２５】
【図１】図１は、本願発明の一実施形態に係る蓄電装置の概略全体斜視図である。
【図２】図２は、同実施形態に係る蓄電装置を構成するモジュールの斜視図であって、図２Ａは、カバー側から見た全体斜視図であり、図２Ｂは、保持体側から見た全体斜視図である。
【図３】図３は、同実施形態に係る蓄電装置を構成するモジュールの縦断面図である。
【図４】図４は、同実施形態に係る蓄電装置を構成するモジュールの横断面図であって、蓄電素子（電池セル）を簡略化した状態で図示した横断面図である。
【図５】図５は、同実施形態に係る蓄電装置（モジュール）が備える蓄電素子（電池セル）の概略全体斜視図である。
【図６】図６は、図４のＡ部拡大図である。
【図７】図７は、同実施形態に係る蓄電装置（モジュール）の製造途中における外装体の横断面図であって、第一の絶縁シート（第一平面部用絶縁シート及び第二平面部用絶縁シート）を周壁の平面部（第一平面部及び第二平面部）に対応させて周壁の内面上に配置した状態（貼り付けた状態）の横断面図を示す。
【図８】図８は、図７のＢ部拡大図である。
【図９】図９は、同実施形態に係る蓄電装置（モジュール）の製造途中における外装体の横断面図であって、第一の絶縁シート（第一平面部用絶縁シート及び第二平面部用絶縁シート）を周壁の平面部（第一平面部及び第二平面部）に対応させて周壁の内面上に配置する（貼り付ける）とともに、第二の絶縁シートを周壁の角部に対応させて周壁の内面上に配置した状態（貼り付けた状態）の横断面図を示す。
【図１０】図１０は、図９のＣ部拡大図である。
【発明を実施するための形態】
【００２６】
以下、本発明に係る蓄電装置の一実施形態について、図面を参酌しつつ説明する。本実施形態に係る蓄電装置は、図１に示す如く、二つのモジュール２，２を備える。二つのモジュール２，２のそれぞれは、図２乃至図４に示す如く、一つ以上の蓄電素子３…と、該一つ以上の蓄電素子３…を収容する外装体４とを備える。
【００２７】
本実施形態に係る蓄電装置１（モジュール２）は、蓄電素子３を複数備える。蓄電素子３…には、電池が採用されている。本実施形態において、蓄電素子（以下、電池セルという）３…には、電気容量の大きなリチウムイオン二次電池が採用されている。そして、電池セル３…には、外観直方体状の角形電池や外観円柱状の丸形電池等が採用され得るが、本実施形態の電池セル３…には、図３及び図５に示す如く、角形電池が採用されている。
【００２８】
電池セル３…は、電極体（図示しない）を収容した電槽３０と、電槽３０の外面上に配置された外部端子３１とを備える。電槽３０は、図５に示す如く、直方体状又は立方体状（本実施形態においては直方体状）に形成される。すなわち、電槽３０は、六面体状に形成される。これにより、電槽３０の外周上には、平面状の外壁面３２…と外周角部３３…とが交互に配置されている。すなわち、電槽３０は、外周上に四つの外壁面３２…と、隣り合う外壁面３２…の間のそれぞれに形成された四つの外周角部３３…とを有する。外周角部３３…のそれぞれは、丸みをもって形成されている。すなわち、外周角部３３…の外面は、隣り合う外壁面３２…のうちの一方の外壁面３２から他方の外壁面３２に向けて湾曲した円弧面状に形成されている。そして、電槽３０は、外部端子３１を配置する端子面３４と、端子面３４の反対側のベース面３５とを有する。端子面３４及びベース面３５は、外周角部３３の曲率中心線の延びる方向に間隔をあけて配置され、四つの外壁面３２…と一緒に電槽３０の外面を構成している。
【００２９】
複数の電池セル３…は、図４に示す如く、外壁面３２同士を対向させるように、一列又は複数列で行列状に配置される。本実施形態において、複数の電池セル３…は、複数列で行列状に配置されている。これにより、複数の電池セル３…のそれぞれは、自己の外壁面３２を隣の電池セル３の外壁面３２と面対向させている。
【００３０】
外装体４は、複数の電池セル３…を包囲する周壁４０を備える。より具体的には、外装体４は、図２及び図３に示す如く、両端が開口した周壁４０と、周壁４０の一方の開口を閉じるカバー４１と、複数の電池セル３…を行列状に配置した状態で保持する保持体４２であって、周壁４０の他方の開口を閉じる保持体４２とを備える。
【００３１】
外装体４の周壁４０及びカバー４１は、金属製である。すなわち、周壁４０及びカバー４１は、金属プレートを加工することで形成されている。周壁４０は、図４に示す如く、多角環状に形成されている。これに伴い、周壁４０は、周方向に交互に配置された平面部４００，４０１と角部４０２…とを含む。本実施形態において、周壁４０は、四角環状（枠状）に形成されており、四つの平面部４００，４０１と四つの角部４０２…とを含む。
【００３２】
より具体的に説明する。周壁４０は、当該周壁４０（開口）の中心線の延びる第一方向と直交する第二方向（図中、Ｘ軸方向）に間隔をあけて配置される一対の平面部（以下、第一平面部という）４００，４００であって、互いに面対向する一対の第一平面部４００，４００と、第一方向及び第二方向と直交する第三方向（図中、Ｙ軸方向）に間隔をあけて配置される一対の平面部（以下、第二平面部という）４０１，４０１であって、一対の第一平面部４００，４００間で互いに面対向する一対の第二平面部４０１，４０１と、周方向の四箇所で第一平面部４００，４００と第二平面部４０１，４０１とを接続する四つの角部４０２…とを備える。
【００３３】
図２に示す如く、一対の第一平面部４００，４００のそれぞれは、第一方向（図中、Ｚ軸方向）に第一端と該第一端の反対側の第二端であって、第一端と平行又は略平行な第二端とを有するとともに、第三方向に第三端と該第三端の反対側の第四端であって、第三端と平行又は略平行な第四端とを有する。そして、一対の第一平面部４００，４００のうちの一方の第一平面部４００には、一対の第一切欠き部４０３，４０３が設けられている。一方の第一切欠き部４０３は、一方の第一平面部４００における第一端と第三端との交点を含む矩形領域に設けられる。これに対し、他方の第一切欠き部４０３は、一方の第一平面部４００における第一端と第四端との交点を含む矩形領域に設けられる。これにより、一方の第一平面部４００は、四角形状の両隅が切欠かれた態様の平面領域を有する。従って、第一方向における一方の第一平面部４００の第三端及び第四端を含む端部の外寸は、第一方向における一方の第一平面部４００の他の部分の外寸よりも短くなっている。
【００３４】
これに対し、一対の第一平面部４００，４００のうちの他方の第一平面部４００は、第一端に対して第三端及び第四端が連続するとともに、第二端に対して第三端及び第四端が連続している。従って、他方の第一平面部４００は、四角形状の平面領域を有する。
【００３５】
一対の第二平面部４０１，４０１のそれぞれは、第一方向に第一端と該第一端の反対側の第二端であって、第一端と平行又は略平行な第二端とを有するとともに、第二方向に第三端と該第三端の反対側の第四端であって、第三端と平行又は略平行な第四端とを有する。一対の第二平面部４０１，４０１は、互いに同形で且つ同サイズで形成される。そして、第一方向における第二平面部４０１の外寸（第一端と第二端との距離）は、第一方向における第一平面部４００の外寸（第一端と第二端との距離）と同寸又は略同寸に設定されている。これに対し、第二方向における第二平面部４０１の外寸（第三端と第四端との距離）は、第三方向における第一平面部４００の外寸（第三端と第四端との距離）よりも長く設定されている。従って、第二方向における周壁４０の外寸は、第三方向における周壁４０の外寸よりも長くなっている。
【００３６】
一対の第二平面部４０１，４０１のそれぞれには、第二切欠き部４０４が設けられている。第二切欠き部４０４は、第二平面部４０１における第一端と第三端との交点を含む矩形領域に設けられる。これにより、一対の第二平面部４０１，４０１のそれぞれは、四角形状の片隅が切欠かれた態様の平面領域を有する。従って、第一方向における第二平面部４０１の第三端を含む端部の外寸は、第一方向における第二平面部４０１の他の部分の外寸よりも短くなっている。
【００３７】
四つの角部４０２…のそれぞれは、第一方向に第一端と該第一端の反対側の第二端であって、第一端と平行又は略平行な第二端を有するとともに、第一方向と直交する第二方向と第三方向との合成方向（周壁４０の周方向に相当する方向）に第三端と、該第三端の反対側の第四端であって、第三端と平行又は略平行な第四端を有する。四つの角部４０２…のそれぞれは、図４及び図６に示す如く、周壁４０の内部側で第一方向に延びる仮想線を中心にして円弧状に湾曲している。本実施形態において、角部４０２…は、電池セル３の電槽３０の外周角部３３よりも小さな曲率半径で湾曲している。そして、角部４０２の第三端が第一平面部４００に接続され、角部４０２の第四端が第二平面部４０１に接続されている。
【００３８】
具体的には、第二方向における一方側にある二つの角部４０２のうちの一つの角部４０２の第三端が一方の第一平面部４００の第三端に接続されるとともに、第二方向における一方側にある残りの角部４０２の第三端が一方の第一平面部４００の第四端に接続されている。また、第二方向における一方側にある二つの角部４０２のうちの一つの角部４０２の第四端が一方の第二平面部４０１の第三端に接続されるとともに、第二方向における一方側にある残りの角部４０２の第四端が他方の第二平面部４０１の第三端に接続されている。これに対し、第二方向における他方側にある二つの角部４０２のうちの一つの角部４０２の第三端が他方の第一平面部４００の第三端に接続されるとともに、第二方向における他方側にある残りの角部４０２の第三端が他方の第一平面部４００の第四端に接続されている。また、第二方向における他方側にある二つの角部４０２のうちの一つの角部４０２の第四端が一方の第二平面部４０１の第四端に接続されるとともに、第二方向における他方側にある残りの角部４０２の第四端が他方の第二平面部４０１の第四端に接続されている。
【００３９】
上述の如く、一方の第一平面部４００に第一切欠き部４０３が設けられるとともに、一対の第二平面部４０１に第二切欠き部４０４が設けられるに伴い、一方の第一平面部４００と一対の第二平面部４０１との間に配置される二つの角部４０２，４０２は、残りの二つの角部４０２，４０２と第一方向における外寸を異にしている。すなわち、第一方向における外寸であって、第二方向における一方側にある二つの角部４０２，４０２の外寸は、第二方向における他方側にある二つの角部４０２，４０２よりも短くなっている。
【００４０】
図１乃至図３に示す如く、一対の第一平面部４００，４００、一対の第二平面部４０１，４０１、及び第一方向の他方側にある二つ角部４０２…のそれぞれの第一端が同一面上に位置するとともに、一対の第一平面部４００，４００、一対の第二平面部４０１，４０１、及び四つの角部４０２…のそれぞれの第二端が同一面上に位置している。これにより、周壁４０には、図２に示す如く、第一切欠き部４０３及び第二切欠き部４０４が連続した開口であって、電池セル３の外部端子３１（電気系統の始端と終端に相当する外部端子３１）に対して接続される配線を導入するための開口が形成されている。なお、図において、第一切欠き部４０３及び第二切欠き部４０４によって形成された開口は、着脱可能なキャップＣｐによって覆われている。
【００４１】
周壁４０が導電性を有する金属で構成されるに伴い、蓄電装置１（二つのモジュール２，２のそれぞれ）は、図４に示す如く、周壁４０の平面部４００，４０１を覆うように配置される第一の絶縁シート４３，４４と、周壁４０の角部４０２…を覆うように配置される第二の絶縁シート４５…とを備える。
【００４２】
本実施形態において、周壁４０上にサイズの異なる第一平面部４００，４００と第二平面部４０１，４０１とが存在する。これに伴い、蓄電装置１は、平面部４００，４０１を覆う第一の絶縁シート４３，４４として、一対の第一平面部４００，４００のそれぞれを覆う一対の第一平面部用絶縁シート４３，４３と、一対の第二平面部４０１，４０１のそれぞれを覆う一対の第二平面部用絶縁シート４４，４４とを備える。
【００４３】
第一の絶縁シート４３，４４（第一平面部用絶縁シート４３，４３、第二平面部用絶縁シート４４，４４）は、ポリプロピレン製の樹脂シートで構成される。そして、第一平面部用絶縁シート４３，４３は、第一平面部４００，４００の内面（平面領域）を被覆可能に裁断され、第二平面部用絶縁シート４４，４４は、第二平面部４０１，４０１の内面（平面領域）を被覆可能に裁断される。
【００４４】
より具体的に説明する。一対の第一平面部用絶縁シート４３のそれぞれは、第一方向に第一端と該第一端の反対側の第二端であって、第一端と平行又は略平行な第二端とを有するとともに、第三方向に第三端と該第三端の反対側の第四端であって、第三端と平行又は略平行な第四端とを有する。
【００４５】
第一方向における第一平面部用絶縁シート４３の外寸（第一端と第二端との距離）は、第一方向における第一平面部４００の外寸（第一端と第二端との距離）と同寸又は略同寸に設定されている。すなわち、第一方向における第一平面部用絶縁シート４３の外寸は、第一端が第三方向の全長に亘って第一平面部４００の第一端と一致又は略一致するとともに、第二端が第三方向の全長に亘って第一平面部４００の第二端と一致又は略一致するように設定されている。これに対し、第三方向における第一平面部用絶縁シート４３の外寸（第三端と第四端との距離）は、第三方向における第一平面部４００の外寸（第三端と第四端との距離）と同寸以下に設定される。本実施形態において、第三方向における第一平面部用絶縁シート４３の外寸は、第三方向における第一平面部４００の外寸よりも短く設定されている。
【００４６】
一対の第一平面部用絶縁シート４３，４３のうちの一方の第一平面部用絶縁シート４３において、第一端と第三端との交点を含む矩形領域及び第一端と第四端との交点を含む矩形領域が切欠かれている。これにより、一方の第一平面部用絶縁シート４３は、四角形状の両隅が切欠かれた態様の平面領域を有する。すなわち、一方の第一平面部用絶縁シート４３は、第一切欠き部４０３を有する一方の第一平面部４００の平面領域に対応した平面領域を有する。従って、第一平面部用絶縁シート４３においても、第一方向における一方の第一平面部４００の第三端及び第四端を含む端部の外寸は、第一方向における一方の第一平面部４００の他の部分の外寸よりも短くなっている。
【００４７】
これに対し、一対の第一平面部用絶縁シート４３，４３のうちの他方の第一平面部用絶縁シート４３は、第一端に対して第三端及び第四端が連続するとともに、第二端に対して第三端及び第四端が連続している。従って、他方の第一平面部用絶縁シート４３は、他方の第一平面部４００の平面領域に対応した四角形状の平面領域を有する。
【００４８】
一対の第一平面部用絶縁シート４３，４３のそれぞれは、第三方向における第一平面部４００の中央を基準にして第三方向に振り分けられるように、対応する第一平面部４００の内面上に配置されている。この状態で、一対の第一平面部用絶縁シート４３，４３のそれぞれは、接着剤を介して第一平面部４００，４０１の内面に貼り付けられている。そして、上述の如く、第三方向における第一平面部用絶縁シート４３，４３の外寸が、第三方向における第一平面部４００の外寸よりも短く設定されているため、図６に示す如く、第三方向における第一平面部用絶縁シート４３の両側にある領域（第一平面部４００の第三端を含む端部及び第四端を含む端部）が、第二の絶縁シート４５を貼り付ける貼着領域として確保されている。
【００４９】
図４に戻り、一対の第二平面部用絶縁シート４４，４４のそれぞれは、第一方向に第二端と該第二端の反対側の第二端であって、第二端と平行又は略平行な第二端とを有するとともに、第二方向に第三端と該第三端の反対側の第四端であって、第三端と平行又は略平行な第四端とを有する。
【００５０】
第一方向における第二平面部用絶縁シート４４の外寸（第一端と第二端との距離）は、第一方向における第二平面部４０１の外寸（第一端と第二端との距離）と同寸又は略同寸に設定されている。すなわち、第一方向における第二平面部用絶縁シート４４の外寸は、第一端が第二方向の全長に亘って第二平面部４０１の第一端と一致又は略一致するとともに、第二端が第二方向の全長に亘って第二平面部４０１の第二端と一致又は略一致するように設定されている。これに対し、第二方向における第二平面部用絶縁シート４４の外寸（第三端と第四端との距離）は、第二方向における第二平面部４０１の外寸（第三端と第四端との距離）と同寸以下に設定される。本実施形態において、第二方向における第二平面部用絶縁シート４４の外寸は、第二方向における第二平面部４０１の外寸よりも短く設定されている。
【００５１】
一対の第二平面部用絶縁シート４４，４４のそれぞれにおいて、第一端と第三端との交点を含む矩形領域が切欠かれている。これにより、第二平面部用絶縁シート４４は、四角形状の片隅が切欠かれた態様の平面領域を有する。すなわち、一対の第二平面部用絶縁シート４４のそれぞれは、対応する第二平面部４０１の平面領域に対応した平面領域を有する。従って、第二平面部用絶縁シート４４においても、第三端を含む端部の外寸が他の部分の外寸よりも短くなっている。
【００５２】
一対の第二平面部用絶縁シート４４，４４のそれぞれは、第二方向における第二平面部４０１の中央を基準にして第二方向に振り分けられるように、対応する第二平面部４０１の内面上に配置されている。この状態で、一対の第二平面部用絶縁シート４４，４４のそれぞれは、接着剤を介して該第二平面部４０１，４０１の内面に貼り付けられている。そして、上述の如く、第二方向における第二平面部用絶縁シート４４，４４の外寸が、第二方向における第二平面部４０１の外寸よりも短く設定されているため、図６に示す如く、第二方向における第二平面部用絶縁シート４４の両側にある領域（第二平面部４０１の第三端を含む端部及び第四端を含む端部）が、第二の絶縁シート４５を貼り付ける貼着領域として確保されている。
【００５３】
図４に戻り、第二の絶縁シート４５…は、周壁４０の角部４０２…のそれぞれに対応して四つ設けられる。四つの第二の絶縁シート４５…のそれぞれは、樹脂製シートで構成される。本実施形態において、第二の絶縁シート４５…は、第一の絶縁シート４３，４４（第一平面部用絶縁シート４３、第二平面部用絶縁シート４４）に比して曲げ剛性（弾性）に富む樹脂シートで構成される。より具体的には、第二の絶縁シート４５…は、ポリプロピレンを主原料とする合成紙（いわゆる、ユポ（登録商標））で構成される。そして、第二の絶縁シート４５…は、周壁４０の対応する角部４０２…を被覆可能になるように裁断される。
【００５４】
より具体的に説明する。四つの第二の絶縁シート４５…のそれぞれは、第一方向に第一端と該第一端の反対側の第二端であって、第一端と平行又は略平行な第二端を有するとともに、第一方向と直交する第二方向と第三方向との合成方向（周壁４０の周方向に相当する方向）に第三端と、該第三端の反対側の第四端であって、第三端と平行又は略平行な第四端を有する。
【００５５】
上述の如く、第二方向の一方側の二つの角部４０２，４０２と第二方向の他方側の二つの角部４０２，４０２との第一方向における外寸が異なるため、一方側の角部４０２に対応する第二の絶縁シート４５と、他方側の角部４０２に対応する第二の絶縁シート４５とは、第一方向における外寸を異にしている。すなわち、四つの第二の絶縁シート４５…のそれぞれにおいて、第一方向における第二の絶縁シート４５の外寸（第一端と第二端との距離）は、対応する角部４０２の外寸（第一端と第二端との距離）と同寸又は略同寸に設定されている。
【００５６】
四つの第二の絶縁シート４５…のそれぞれは、図６に示す如く、第一方向に延びる仮想線を中心にして湾曲している。四つの第二の絶縁シート４５…のそれぞれは、行列状に配置された複数の電池セル３…のうちの四隅に配置される電池セル３…の電槽３０の外周角部３３…（円弧面）に沿うように曲げられている。本実施形態においては、第二の絶縁シート４５…は、周壁４０の角部４０２…の曲率半径よりも大きな曲率半径で湾曲されている。これに伴い、第二の絶縁シート４５…の中央部は、周壁４０の角部４０２…の内面から離間している。
【００５７】
これに伴い、周壁４０の周方向における第二の絶縁シート４５…の全長（第二の絶縁シート４５の面に沿った第三端と第四端との距離）は、周壁４０の角部４０２…の内周長以上に設定される。本実施形態において、上述の如く、第一の絶縁シート４３，４４（第一平面部用絶縁シート４３，４３、第二平面部用絶縁シート４４，４４）の両側に貼付領域が設定される。従って、平面状に延ばした状態の第二の絶縁シート４５…における第三端と第四端との距離（湾曲前の直線距離）は、周壁４０の角部４０２…に対応して湾曲したときの湾曲部分の周長に対し、第三方向における第一平面部４００，４００上の貼付領域の寸法と、第二方向における第二平面部４０１，４０１上の貼付領域の寸法とを加算した距離に設定される。
【００５８】
本実施形態において、上述の如く、第二の絶縁シート４５…が電池セル３…の電槽３０の外周角部３３…（円弧面）に対応して湾曲され、周壁４０の角部４０２…に対して離間した状態で配置される。そのため、平面状に延ばした状態の第二の絶縁シート４５…における第三端と第四端との距離（湾曲前の直線距離）は、周壁４０の角部４０２…の内周長とその両側にある貼付領域との合計長さよりも短く設定される。
【００５９】
そして、第二の絶縁シート４５…は、途中位置が電池セル３…の電槽３０の外周角部３３…と対応するように湾曲状に曲げられた上で、第三端側が第一平面部４００，４００上の貼付領域に貼り付けられ、第四端側が第二平面部４０１，４０１上の貼付領域に貼り付けられる。そして、上述のように寸法設定されることで、第二の絶縁シート４５…の第三端及び第四端が第一の絶縁シート４３，４４と密接している。すなわち、第二の絶縁シート４５…の第三端が第一平面部用絶縁シート４３に密接するとともに、第二の絶縁シート４５…の第四端が第二平面部用絶縁シート４４に密接している。これにより、周壁４０の内面に貼り付けられた第一の絶縁シート４３，４４（第一平面部用絶縁シート４３，４３、第二平面部用絶縁シート４４，４４）及び第二の絶縁シート４５…は、周壁４０の周方向で隙間なく連続した状態で配置されている。
【００６０】
図１及び図２に戻り、カバー４１は、周壁４０の開口に即した形状に形成される。そして、カバー４１の内面にも絶縁部材（図示しない）が設けられる。なお、カバー４１は、図３に示す如く、電池セル３…に対して間隔をあけて配置される。そのため、カバー４１の絶縁は、絶縁シートを貼り付けたり、絶縁樹脂を塗工したりすることで確保されてもよいが、本実施形態においては、カバー４１の内面に絶縁シート（図示しない）が貼り付けられている。
【００６１】
保持体４２は、周壁４０の開口を閉塞可能に形成される。これに伴い、保持体４２は、周壁４０の内部側に向く第一面と反対側の第二面とを有する。そして、保持体４２の第一面には、電池セル３…の電槽３０のベース面３５側を嵌入可能な複数の凹部４２０…であって、行列状に配置された複数の凹部４２０…が設けられている。また、保持体４２には、第一面側と第二面側とを貫通させた複数の開口部４２１…が設けられる。複数の開口部４２１…は、複数の電池セル３…のそれぞれの配置（凹部４２０…のそれぞれの配置）に対応して設けられる。なお、開口部４２１…内には、熱伝導性に優れた伝熱部材Ｃが配置される。伝熱部材Ｃは、熱伝導率の高いものであればよいが、ジェル状の物質のように適度な弾性を有しているものが好ましい。
【００６２】
本実施形態に係る蓄電装置１（モジュール２）は、保持体４２の複数の凹部４２０…に嵌められた複数の電池セル３…の移動を規制する規制部材５を備える。規制部材５は、周壁４０内の複数の電池セル３…（電槽３０の端子面３４）上に配置された状態で、周壁４０に固定可能に構成される。
【００６３】
本実施形態に係る蓄電装置１は、図１に示す如く、二つのモジュール２，２のそれぞれの電池セル３…を冷却する冷却基板６であって、内部に冷媒を流通させる冷却基板６を備えている。これに伴い、二つのモジュール２，２は、互いの保持体４２を向かい合わせにした状態で対称的に配置される。すなわち、二つのモジュール２，２は、それぞれの保持体４２で冷却基板６を挟み込んだ状態で相互に締結される。これにより、本実施形態に係る蓄電装置１は、二つのモジュール２，２の電池セル３…の充放電に伴って発生する熱を冷却基板６（冷媒）によって吸収し、過度な温度上昇が抑制される。
【００６４】
本実施形態に係る蓄電装置１は、以上の通りである。続いて、蓄電装置１の製造方法について説明する。まず、外装体４内に複数の電池セル３…を配置する前に、図７及び図８に示す如く、周壁４０の平面部４００，４０１に対応する第一の絶縁シート４３，４４で該平面部４００，４０１の内面を覆い、該第一の絶縁シート４３，４４を周壁４０の内面に貼り付け、また、図９及び図１０に示す如く、周壁４０の角部４０２…に対応する第二の絶縁シート４５…で該角部４０２…の内面を覆い、該第二の絶縁シート４５…を前記周壁４０の内面に貼り付ける。
【００６５】
本実施形態において、上述の如く、複数の電池セル３…を行列状に配置することを前提に、第一の絶縁シート４３，４４を周壁４０の内面に貼り付けるに当り、複数の電池セル３…の電槽３０の外面に沿った状態になるように第一の絶縁シート４３，４４を配置した上で周壁４０の平面部４００，４０１に貼り付け、第二の絶縁シート４５…を周壁４０の内面に貼り付けるに当り、行列状に配置された複数の電池セル３…のうちの四隅に配置される電池セル３…の電槽３０の外周角部３３…に接近するように第二の絶縁シート４５…を配置した上で周壁４０に貼り付ける。
【００６６】
より具体的に説明すると、図７及び図８に示す如く、第一平面部用絶縁シート４３，４３の第一端及び第二端と第一平面部４００，４００の第一端及び第二端とを一致させるとともに、第三方向における第一平面部用絶縁シート４３，４３の中央と第三方向における第一平面部４００，４００の中央とを一致させた状態で、第一平面部用絶縁シート４３，４３が第一平面部４００，４００の内面上に配置される。そして、第一平面部用絶縁シート４３，４３の全面が接着剤によって第一平面部４００，４００の内面に貼り付けられる。また、第一方向における第二平面部用絶縁シート４４，４４の第一端及び第二端と第二平面部４０１，４０１の第一端及び第二端とを一致させるとともに、第二方向における第二平面部用絶縁シート４４，４４の中央と第二方向における第二平面部４０１，４０１の中央とを一致させた状態で、第二平面用絶縁シートが第二平面部４０１，４０１の内面上に配置される。そして、第二平面部用絶縁シート４４，４４の全面が接着剤によって第二平面部４０１，４０１の内面に貼り付けられる。
【００６７】
また、図９及び図１０に示す如く、第二の絶縁シート４５…の第一端及び第二端と周壁４０の角部４０２…の第一端及び第二端とを一致させた状態で第二の絶縁シート４５…が周壁４０の内面側に配置される。そして、第二の絶縁シート４５…は、電池セル３…の電槽３０の外周角部３３…の曲率半径に対応する曲率半径で曲げられた状態で周壁４０に接着剤によって貼り付けられる。すなわち、第二の絶縁シート４５…は、電池セル３…の電槽３０の外周角部３３…の外面（円弧面）に沿うように曲げられるとともに、周壁４０の周方向の両端が接着剤によって貼り付けられる。
【００６８】
本実施形態において、第一平面部４００，４００上の貼付領域又は第二平面部４０１，４０１上の貼付領域の何れか一方に対して、周壁４０の周方向における第二絶縁シートの一方の端部（第三端部又は第四端部の何れか一方）が接着剤によって貼り付けられた後、第二の絶縁シート４５…が角部４０２…に対応した位置で、電槽３０の外周角部３３…に対応した曲率半径で曲げられ、第一平面部４００，４００上の貼付領域又は第二平面部４０１，４０１上の貼付領域の何れか他方に対して、周壁４０の周方向における第二絶縁シートの他方の端部（第三端部又は第四端部の何れか他方）が接着剤によって貼り付けられる。すなわち、第二の絶縁シート４５…を第一の絶縁シート４３，４４に突き合わせた状態にして、該第二の絶縁シート４５…の一方の端部を平面部４００，４０１に貼り付けた後、第二の絶縁シート４５…を別の第一の絶縁シート４３，４４に突き合わせた状態にして、該第二の絶縁シート４５…の他方の端部を別の平面部４００，４０１に貼り付ける。これにより、第一の絶縁シート４３，４４及び第二の絶縁シート４５…が、周壁４０の内面全面を覆った状態になる。
【００６９】
そして、複数の電池セル３…を、隣り合う電池セル３…の電槽３０の外壁面３２，３２同士を面対向させるように、一列又は複数列で行列状に配置する。本実施形態において、蓄電装置１（モジュール２）が保持体４２を備えているため、周壁４０の開口を閉じた保持体４２の凹部４２０…のそれぞれに複数の電池セル３…が嵌入されることで、複数の電池セル３…は、周壁４０内で行列状に配置される（図３及び図４参照）。この状態で、周壁４０に貼り付けられた第一の絶縁シート４３，４４（第一平面部用絶縁シート４３，４３、第二平面部用絶縁シート４４，４４）及び第二の絶縁シート４５…は、一群をなす複数の電池セル３…の外周に即して配置された状態になる。
【００７０】
その後、複数の電池セル３…同士が電気的に接続された上で、周壁４０内に固定される。すなわち、規制部材５が複数の電池セル３…の電槽３０上に配置された上で、周壁４０に固定される。これにより、周壁４０に固定された規制部材５が電池セル３（電槽３０）の端子面３４を押さえた状態になり、複数の電池セル３…が外装体４内に固定される。その後、カバー４１によって周壁４０の開口が閉じられ、モジュール２が構築される。そして、上記手順によって、二つのモジュール２，２が構築された後、冷却基板６を挟んだ状態で、二つのモジュール２，２が互いに締結される。これにより、本実施形態に係る蓄電装置１が完成する（図１参照）。
【００７１】
以上のように、本実施形態によれば、第一の絶縁シート４３，４４が単一の平面部４００，４０１に被覆可能な態様で形成され、第二の絶縁シート４５…が単一の角部４０２…を被覆可能な態様で形成される。すなわち、第一の絶縁シート４３，４４及び第二の絶縁シート４５…のそれぞれは、周壁４０の内面全域を分割した複数の領域に対応するサイズにされる結果、周壁４０の内面の総面積よりも小さなサイズにされる。従って、周壁４０の内周全周に対応した長尺な絶縁シートに比べ、第一の絶縁シート４３，４４及び第二の絶縁シート４５…を周壁４０（平面部４００，４０１及び角部４０２…）上に配置するときのハンドリング性が向上する。
【００７２】
これにより、第一の絶縁シート４３，４４を周壁４０の内面上に配置するステップにおいて、第一の絶縁シート４３，４４が平面部４００，４０１に対して適正に配置された上で周壁４０の内面に貼り付けられる（固定される）。また、第二の絶縁シート４５…を周壁４０の内面上に配置するステップにおいて、第二の絶縁シート４５…が角部４０２…に対して適正に配置された上で周壁４０の内面に貼り付けられる（固定される）。
【００７３】
このように、第一の絶縁シート４３，４４及び第二の絶縁シート４５…が周壁４０に対して個別に配置される（貼り付けられる）ことで、第一の絶縁シート４３，４４が第二の絶縁シート４５…の態様に追従せず、また、第二の絶縁シート４５…が第一の絶縁シート４３，４４の態様に追従しない。従って、第一の絶縁シート４３，４４及び第二の絶縁シート４５…のそれぞれが周壁４０の内面上に配置される（貼り付けられる）ときに、シワの発生や位置ずれが起こり難くなる。その結果、第一の絶縁シート４３，４４が平面部４００，４０１全域を覆い、第二の絶縁シート４５…が角部４０２…全域を覆う。そして、周壁４０は、周方向に交互に配置された平面部４００，４０１と角部４０２…とを有するため、上述の如く、第一の絶縁シート４３，４４が平面部４００，４０１全域を覆うとともに第二の絶縁シート４５…が角部４０２…全域を覆うことで、第一の絶縁シート４３，４４と第二の絶縁シート４５…とが周壁４０の周方向に連続して配置される。すなわち、第一の絶縁シート４３，４４及び第二の絶縁シート４５…が周壁４０の内面全域を覆った絶縁層を構成する。その結果、周壁４０の内面全域が絶縁される。これにより、周壁４０に取り囲まれた複数の電池セル３…と外装体４（周壁４０）とを確実に絶縁することができる。
【００７４】
また、本実施形態において、第二の絶縁シート４５…が第一の絶縁シート４３，４４よりも高弾性の素材で構成されるため、第二の絶縁シート４５…は、角部４０２に対応して曲げられるときや折り曲げられた状態で、自己の弾性によって均一又は略均一に湾曲する。これにより、第二の絶縁シート４５…が無造作に折れ曲がったり、第二の絶縁シート４５…にシワが入ったりすることがない。従って、第二の絶縁シート４５は、周壁４０の角部４０２の配置に対応した位置で適正に配置され、蓄電素子３（電槽３０）との干渉が効率的に防止される。
【００７５】
本実施形態において、第一の絶縁シート４３，４４がポリプロピレン製の樹脂シートで構成されるため、第一の絶縁シート４３，４４を周壁４０の内面に貼り付けるときに、第一の絶縁シート４３，４４を平面部４００，４０１に沿った状態にし易く、また、周壁４０の内面上に配置した状態においては、平面部４００，４０１の内面に沿った状態（密着した状態）になる。そして、第二の絶縁シート４５…がポリプロピレンを主原料とする合成紙で構成されることで、第二の絶縁シート４５…を角部４０２に対応して湾曲させても、第二の絶縁シート４５…が不用意に折れ曲がることがない。すなわち、ポリプロピレンを主原料とする合成紙は、弾性に富み、不用意に屈曲することがない。従って、角部４０２に対応して配置される第二の絶縁シート４５…がポリプロピレンを主原料とする合成紙で構成されることで、第二の絶縁シート４５にシワが入り難く、第二の絶縁シート４５を角部４０２の配置に対応した位置に適正に配置できる。
【００７６】
また、本実施形態において、直方体状又は立方体状の電槽３０を有する複数の電池セル３…を、隣り合う電池セル３…の電槽３０の外面を構成する平面状の壁面を対向させるように、一列又は複数列で行列状に配置し、第一の絶縁シート４３，４４を周壁４０の内面上に配置する（貼り付ける）ときに、整列した複数の電池セル３…の電槽３０の外面に沿うように第一の絶縁シート４３，４４を配置し、第二の絶縁シート４５…を周壁４０の内面上に配置する（貼り付ける）ときに、行列状に配置された複数の電池セル３…のうちの四隅に配置される電池セル３…の電槽３０の外周角部３３…に沿うように第二の絶縁シート４５…を配置することで、周壁４０の内面上に配置されて連続する第一の絶縁シート４３，４４及び第二の絶縁シート４５…が行列状に配置されて一群をなす複数の電池セル３…の電槽３０を包囲した状態になる。従って、複数の電池セル３…は、外装体４（周壁４０）内で適正な配置で保持される。
【００７７】
以上のように、本実施形態に係る蓄電装置１、及びその製造方法によれば、周方向に交互に配置された平面部４００，４０１と角部４０２…とを含む周壁４０を有する外装体４と、周壁４０に包囲された複数の電池セル３…とを確実に絶縁でき、電気的な安全性を向上させることができるという優れた効果を奏し得る。
【００７８】
尚、本発明は、上記実施形態に限定されるものではなく、本発明の要旨を逸脱しない範囲で種々の変更が可能である。
【００７９】
上記実施形態において、周壁４０にサイズの異なる第一平面部４００，４００と第二平面部４０１，４０１とが形成されたため、第一の絶縁シート４３，４４として第一平面部用絶縁シート４３，４３と第二平面部用絶縁シート４４，４４とが採用されたが、これに限定されない。例えば、周壁４０に同サイズの第一平面部４００，４００と第二平面部４０１，４０１とが形成される場合、第一の絶縁シート４３，４４は、一種類で構成される。また、上記実施形態において、周壁４０に第一切欠き部４０３及び第二切欠き部４０４が設けられたが、これに限定されない。例えば、カバー４１のみに開口を形成し、配線を導入可能に構成してもよい。この場合、一対の第一平面部４００，４００が互いに同形且つ同サイズになり、また、一対の第二平面部４０１，４０１が互いに同形且つ同サイズになる。従って、第一平面部用絶縁シート４３，４３を同形且つ同サイズにでき、また、第二平面部用絶縁シート４４，４４を同形且つ同サイズにできる。
【００８０】
上記実施形態において、周壁４０が四角環状に形成されることを前提に説明したが、これに限定されない。本発明は、平面部４００，４０１と角部４０２…とが交互に形成される多角環状の周壁４０を有するものに適用可能である。
【００８１】
上記実施形態において、第一の絶縁シート４３，４４と第二の絶縁シート４５…とが異なる素材で構成されたが、これに限定されない。第一の絶縁シート４３，４４及び第二の絶縁シート４５…は、同一素材で構成されてもよい。また、上記実施形態において、第一の絶縁シート４３，４４及び第二の絶縁シート４５…のそれぞれが、樹脂シートで構成されたが、これに限定されない。第一の絶縁シート４３，４４及び第二の絶縁シート４５…のそれぞれは、絶縁材料であればよく、ゴムや紙等であってもよい。
【００８２】
上記実施形態において、第二の絶縁シート４５…が電池セル３…の電槽３０の外周角部３３…に対応して湾曲され、周壁４０の角部４０２…から離間した状態で配置されたが、これに限定されない。例えば、第二の絶縁シート４５…は、周壁４０の角部４０２…の内面に密接した状態で配置されてもよい。この場合、第二の絶縁シート４５…は、周壁４０の角部４０２…の曲率半径に対応した長さ反映させた長さに設定される。
【００８３】
上記実施形態において、第一の絶縁シート４３，４４（第一平面部４００，４００絶縁シート、第二平面部４０１，４０１絶縁シート）が周壁４０の平面部４００，４０１（第一平面部４００，４００、第二平面部４０１，４０１）よりも小さなサイズに設定され、両側に第二の絶縁シート４５…を貼り付ける貼付領域が形成されるようにしたが、これに限定されない。例えば、第一の絶縁シート４３，４４（第一平面部４００，４００絶縁シート、第二平面部４０１，４０１絶縁シート）が周壁４０の平面部４００，４０１（第一平面部４００，４００、第二平面部４０１，４０１）と同サイズに設定されるとともに、第二の絶縁シート４５…が角部４０２…の内面と同サイズに設定されてもよい。この場合、第二の絶縁シート４５…の全面が周壁４０の角部４０２…の内面に密接して貼り付けられる。
【００８４】
上記実施形態において、二つのモジュール２，２を備えた蓄電装置１について説明したが、これに限定されない。例えば、単一のモジュールのみを備えたもの（単一のモジュール自体が蓄電装置１とされたもの）であってもよい。
【００８５】
上記実施形態において、接着剤を介して第一の絶縁シート４３，４４及び第二の絶縁シート４５…が周壁４０の内面に貼り付けられたが、これに限定されない。例えば、両面粘着テープを介して第一の絶縁シート４３，４４及び第二の絶縁シート４５…が周壁４０の内面に貼り付けられてもよい。また、第一の絶縁シート４３，４４及び第二の絶縁シート４５…のそれぞれの一面に接着層が形成されてシール状にされ、接着層を介して第一の絶縁シート４３，４４及び第二の絶縁シート４５…が周壁４０の内面に貼り付けられてもよい。
【００８６】
また、上記実施形態において、蓄電素子の一例としてリチウムイオン二次電池について説明したが、これに限定されない。例えば、蓄電素子３…として、種々の二次電池や、一次電池、電気二重層キャパシタ等を備えたものであってもよい。また、上記実施形態において、蓄電装置１が複数の蓄電素子３…を備えたが、これに限定されない。例えば、一つの蓄電素子３を備えた蓄電装置１であってもよい。すなわち、蓄電素子３は、一つ以上あればよい。
【符号の説明】
【００８７】
１…蓄電装置、２…モジュール、３…電池セル（蓄電素子）、４…外装体、５…規制部材、６…冷却基板、３０…電槽、３１…外部端子、３２…外壁面、３３…角部、３４…端子面、３５…ベース面、４０…周壁、４１…カバー、４２…保持体、４３…第一平面部用絶縁シート（第一の絶縁シート）、４４…第二平面部用絶縁シート（第一の絶縁シート）、４５…第二の絶縁シート、４００…第一平面部（平面部）、４０１…第二平面部（平面部）、４０２…角部、４０３…第一切欠き部、４０４…第二切欠き部、４２０…凹部、４２１…開口部、Ｃ…伝熱部材、Ｃｐ…キャップ
【図１】
0005839281.tif 000002
【図２】
0005839281.tif 000003
【図３】
0005839281.tif 000004
【図４】
0005839281.tif 000005
【図５】
0005839281.tif 000006
【図６】
0005839281.tif 000007
【図７】
0005839281.tif 000008
【図８】
0005839281.tif 000009
【図９】
0005839281.tif 000010
【図１０】
0005839281.tif 000011